(57)【要約】【課題】より簡単、かつ、効果的に、再生される複数の音楽データの音量レベル値若しくは音質レベル値を調整することが可能な音声データ再生・記録装置、音声データ再生・記録方法、平均音量レベル値算出処理プログラム、平均音質レベル値算出処理プログラムを提供する。【課題手段】記録媒体に記録された音声データを再生する第１再生手段と、前記再生された音声データを他の記録媒体に記録する記録手段と、前記第１再生手段の再生動作および前記記録手段の記録動作を制御する制御手段と、前記記録媒体から再生された音声データの音量レベル値を測定するとともに、その音量レベル値に基づいて前記他の記録媒体に記録されるべき音声データの平均音量レベル値を算出する音量レベル算出手段と、前記制御手段は、前記記録媒体から再生された音声データが前記他の記録媒体に記録される際に、前記平均音量レベル値を算出させるように構成する。【選択図】　図１
2004005786.tif 000002
【特許請求の範囲】
【請求項１】
記録媒体に記録された音声データを再生する第１再生手段と
、前記再生された音声データを他の記録媒体に記録する記録手段と、
前記第１再生手段の再生動作および前記記録手段の記録動作を制御する制御手段と、
前記記録媒体から再生された音声データの音量レベル値を測定するとともに、その音量レベル値に基づいて前記他の記録媒体に記録されるべき音声データの平均音量レベル値を算出する音量レベル算出手段と、
前記制御手段は、前記記録媒体から再生された音声データが前記他の記録媒体に記録される際に、前記平均音量レベル値を算出させることを特徴とする音声データ再生・記録装置。
【請求項２】
請求項１に記載の音声データ再生・記録装置において、
前記算出された平均音量レベル値が記憶されるメモリを備えることを特徴とする音声データ再生・記録装置。
【請求項３】
請求項２に記載の音声データ再生・記録装置において、
前記音量レベル算出手段は、既に平均音量レベル値が前記メモリに記憶されている場合には、その平均音量レベル値および前記測定された音量レベル値に基づいて前記音声データの平均音量レベル値を算出し、
既に前記メモリに記憶された平均音量レベル値は、前記算出された平均音量レベル値に更新されることを特徴とする音声データ再生・記録装置。
【請求項４】
請求項１乃至３のいずれか一項に記載の音声データ再生・記録装置において、
前記他の記録媒体に記録された音声データを再生する第２再生手段と、
前記他の記録媒体から再生された音声データの音量を前記平均音量レベル値に基づいて補正し、その補正された音量にて音声データを出力する音量補正手段と、を備えることを特徴とする音声データ再生・記録装置。
【請求項５】
記録媒体に記録された音声データを再生する第１再生手段と
、前記再生された音声データを他の記録媒体に記録する記録手段と、
前記第１再生手段の再生動作および前記記録手段の記録動作を制御する制御手段と、
前記記録媒体から再生された音声データの音質レベル値を測定するとともに、その音質レベル値に基づいて前記他の記録媒体に記録されるべき音声データの平均音質レベル値を算出する音質レベル算出手段と、
前記制御手段は、前記記録媒体から再生された音声データが前記他の記録媒体に記録される際に、前記平均音質レベル値を算出させることを特徴とする音声データ再生・記録装置。
【請求項６】
請求項５に記載の音声データ再生・記録装置において、
前記算出された平均音質レベル値が記憶されるメモリを備えることを特徴とする音声データ再生・記録装置。
【請求項７】
請求項６に記載の音声データ再生・記録装置において、
前記音質レベル算出手段は、既に平均音質レベル値が前記メモリに記憶されている場合には、その平均音質レベル値および前記測定された音質レベル値に基づいて前記音声データの平均音質レベル値を算出し、
既に前記メモリに記憶された平均音質レベル値は、前記算出された平均音質レベル値に更新されることを特徴とする音声データ再生・記録装置。
【請求項８】
請求項１乃至３のいずれか一項に記載の音声データ再生・記録装置において、
前記他の記録媒体に記録された音声データを再生する第２再生手段と、
前記他の記録媒体から再生された音声データの音質を前記平均音質レベル値に基づいて補正し、その補正された音質にて音声データを出力する音質補正手段と、を備えることを特徴とする音声データ再生・記録装置。
【請求項９】
記録媒体に記録された音声データを再生し、その再生された音声データを他の記録媒体に記録する音声データ再生・記録方法において、
前記記録媒体から再生された音声データが他の記録媒体に記録される際にその音声データの音量レベル値を測定する工程と、
前記測定された音量レベル値に基づいて前記他の記録媒体に記録されるべき音声データの平均音量レベル値を算出する工程と、を備えることを特徴とする音声データ再生・記録方法。
【請求項１０】
請求項９に記載の音声データ再生・記録方法において、
前記他の記録媒体に記録された音声データを再生する工程と、
前記他の記録媒体から再生された音声データの音量を前記平均音量レベル値に基づいて補正する工程と、
前記補正された音量にて音声データを出力する工程と、を備えることを特徴とする音声データ再生・記録方法。
【請求項１１】
記録媒体に記録された音声データを再生し、その再生された音声データを他の記録媒体に記録する音声データ再生・記録方法において、
前記記録媒体から再生された音声データが他の記録媒体に記録される際にその音声データの音質レベル値を測定する工程と、
前記測定された音質レベル値に基づいて前記他の記録媒体に記録されるべき音声データの平均音質レベル値を算出する工程と、を備えることを特徴とする音声データ再生・記録方法。
【請求項１２】
請求項１１に記載の音声データ再生・記録方法において、
前記他の記録媒体に記録された音声データを再生する工程と、
前記他の記録媒体から再生された音声データの音質を前記平均音質レベル値に基づいて補正する工程と、
前記補正された音質にて音声データを出力する工程と、を備えることを特徴とする音声データ再生・記録方法。
【請求項１３】
記録媒体に記録された音声データを再生し、その再生された音声データを他の記録媒体に記録する音声データ再生・記録装置に含まれるコンピュータを、
前記再生された音声データを前記他の記録媒体に記録する際に、前記記録媒体から再生された音声データの音量レベル値を測定するとともに、その音量レベル値に基づいて前記他の記録媒体に記録されるべき音声データの平均音量レベル値を算出する手段として機能させることを特徴とする平均音量レベル算出処理プログラム。
【請求項１４】
請求項１３に記載の平均音量レベル値算出処理プログラムにおいて、
前記コンピュータを、
前記他の記録媒体に記録された音声データを再生する際に、前記他の記録媒体から再生された音声データの音量を前記平均音量レベル値に基づいて補正し、その補正された音量にて音声データを出力する手段としてさらに機能させることを特徴とする平均音量レベル値算出処理プログラム。
【請求項１５】
記録媒体に記録された音声データを再生し、その再生された音声データを他の記録媒体に記録する音声データ再生・記録装置に含まれるコンピュータを、
前記再生された音声データを前記他の記録媒体に記録する際に、前記記録媒体から再生された音声データの音質レベル値を測定するとともに、その音質レベル値に基づいて前記他の記録媒体に記録されるべき音声データの平均音質レベル値を算出する手段として機能させることを特徴とする平均音質レベル算出処理プログラム。
【請求項１６】
請求項１５に記載の平均音質レベル値算出処理プログラムにおいて、
前記コンピュータを、
前記他の記録媒体に記録された音声データを再生する際に、前記他の記録媒体から再生された音声データの音質を前記平均音質レベル値に基づいて補正し、その補正された音質にて音声データを出力する手段としてさらに機能させることを特徴とする平均音質レベル値算出処理プログラム。
【発明の詳細な説明】
【０００１】
【発明の属する技術分野】
記録媒体に記録された音声データを再生し、他の記録媒体に記録する音声データ再生・記録装置に関し、特に、他の記録媒体から再生される音声データの音量レベル値や、音質レベル値を調整する技術に関する。
【０００２】
【従来の技術】
近年、ＨＤＤ（ハードディスク）などの記録媒体の大容量化や、ＭＰ（ＭＰＥＧ　Ａｕｄｉｏ　Ｌａｙｅｒ）３、ＡＴＲＡＣ（Ａｄａｐｔｉｖｅ　ＴＲａｎｓｆｏｒｍ　Ａｃｏｕｓｔｉｃ　Ｃｏｄｉｎｇ）３などのデータ圧縮技術の進展により、ユーザが、音声データ再生・記録装置（オーディオ装置）を使用し、例えば、多くのＣＤ（Ｃｏｍｐａｃｔ　Ｄｉｓｃ）や、ＭＤ（Ｍｉｎｉ　Ｄｉｓｃ）などに記録された曲（音声データ）を一つの記録媒体（例えば、ＨＤＤ）に記録（録音）して曲のコレクションを作成することができるようになった。
【０００３】
このようにユーザによって多くの曲が記録された記録媒体から当該曲を再生する場合、例えば、記録元の記録媒体毎に曲の音量レベル値に差があるときには、当該音量レベル値差により、ユーザは、連続して曲を聴き難いという問題があった。
【０００４】
ところで、記録元の記録媒体から記録先の記録媒体に曲をアナログ形式で渡す従来の音声データ再生・記録装置には、当該曲の音量をユーザにより設定された音量に調整してから記録先の記録媒体に記録することができるものが知られている。
【０００５】
一方、記録元の記録媒体から記録先の記録媒体に曲をデジタル形式で渡す従来の音声データ再生・記録装置では、殆ど、音質を重視し、曲の音量レベル値の調整を行わず、そのままの音量で当該曲を記録先の記録媒体に記録するが、一部の高額かつ高機能な音声データ再生・記録装置で、当該曲の音量をユーザにより設定された音量に調整してから記録先の記録媒体に記録することができるものが知られている。
【０００６】
このように、音量を調整してから記録先の記録することができる従来の音声データ再生・記録装置によれば、上記問題をある程度、解決することも可能である。
【０００７】
【発明が解決しようとする課題】
しかしながら、例えば、記録先の記録媒体の容量が非常に大きく、時期を隔てて何回も追加的に曲が記録される場合（例えば、ユーザがＣＤを購入する度に曲を記録する場合）、始めに記録した曲の音量レベル値から後に記録される曲にいくに従い次第に音量レベル値が変わってくる場合があり、かかる場合、ユーザは、やはり、連続して曲を聴き難くなる。
【０００８】
また、従来の音声データ再生・記録装置では、記録元の記録媒体に記録された曲（オリジナルの曲）の音量レベル値を変えて記録先の記録媒体に記録するため、音質の面で不都合が生じる場合もあった。
【０００９】
以上のことは、曲の音質レベルについても同様のことがいえる。
【００１０】
そこで、上記課題に鑑みてなされたものであり、より簡単、かつ、効果的に、再生される複数の音楽データの音量レベル値若しくは音質レベル値を調整することが可能な音声データ再生・記録装置、音声データ再生・記録方法、平均音量レベル値算出処理プログラム、平均音質レベル値算出処理プログラムを提供することを目的する。
【００１１】
【課題を解決するための手段】
上記課題を解決するため、請求項１記載の発明は、記録媒体に記録された音声データを再生する第１再生手段と、前記再生された音声データを他の記録媒体に記録する記録手段と、前記第１再生手段の再生動作および前記記録手段の記録動作を制御する制御手段と、前記記録媒体から再生された音声データの音量レベル値を測定するとともに、その音量レベル値に基づいて前記他の記録媒体に記録されるべき音声データの平均音量レベル値を算出する音量レベル算出手段と、前記制御手段は、前記記録媒体から再生された音声データが前記他の記録媒体に記録される際に、前記平均音量レベル値を算出させるように構成する。
【００１２】
ここで、記録媒体には、ＣＤ、ＤＶＤ（Ｄｉｇｉｔａｌ　Ｖｅｒｓａｔｉｌｅ　Ｄｉｓｃ）、ＭＤ、ＭＯ、ＨＤＤ、カード型記録媒体などが含まれる。また、他の記録媒体には、ＨＤＤ、ＣＤ−Ｒ、ＤＶＤ−Ｒ／Ｗ、ＭＤ、ＭＯ、カード型記録媒体などが含まれる。
【００１３】
請求項１に記載の発明によれば、記録媒体から再生された音声データが他の記録媒体に記録される際に、測定された音声データの音量レベル値に基づいて、他の記録媒体に記録されるべき音声データの平均音量レベル値を算出するように構成したので、他の記録媒体に記録された音声データを、その後に再生する際、記憶された平均音量レベル値を用いて音量を補正することが可能となり、より簡単、かつ、効果的に、再生される複数の音声データの音量レベル値を調整することが可能となる。また、これにより、記録媒体から再生された音声データは、オリジナルの音量のまま、他の記録媒体に記録することができる。つまり、それぞれ音量レベル値の異なった複数の音声データを、他の記録媒体に記憶することができる。
【００１４】
請求項２に記載の発明は、請求項１に記載の音声データ再生・記録装置において、前記算出された平均音量レベル値が記憶されるメモリを備えるように構成する。
【００１５】
請求項２に記載の発明によれば、算出された平均音量レベル値がメモリに記憶されるので、その後、他の記録媒体に記録された音声データを再生する際、かかる平均音量レベル値を用いて音量を補正することができる。
【００１６】
請求項３に記載の発明は、請求項２に記載の音声データ再生・記録装置において、前記音量レベル算出手段は、既に平均音量レベル値が前記メモリに記憶されている場合には、その平均音量レベル値および前記測定された音量レベル値に基づいて前記音声データの平均音量レベル値を算出し、既に前記メモリに記憶された平均音量レベル値は、前記算出された平均音量レベル値に更新されるように構成する。
【００１７】
請求項３に記載の発明によれば、以前に算出された平均音量レベル値をも用いて音声データの平均音量レベル値を算出することができるので、他の記録媒体に時期を隔てて何回も追加的に音声データを記録した場合にも、以前に記録した音声データを含めた全ての音声データの平均音量レベル値を算出することができる。
【００１８】
請求項４に記載の発明は、請求項１乃至３のいずれか一項に記載の音声データ再生・記録装置において、前記他の記録媒体に記録された音声データを再生する第２再生手段と、前記他の記録媒体から再生された音声データの音量を前記平均音量レベル値に基づいて補正し、その補正された音量にて音声データを出力する音量補正手段と、を備えるように構成する。
【００１９】
請求項４に記載の発明によれば、他の記録媒体に、それぞれ音量レベル値の異なった複数の音声データが記録されていたとしても、それらの音声データを連続して再生する場合に、記録時に算出した平均音量レベル値を用いて補正を行いながら再生するので、ユーザは、音量差を意識することなく自然に長時間の曲を試聴することができる。
【００２０】
請求項５に記載の発明は、記録媒体に記録された音声データを再生する第１再生手段と、前記再生された音声データを他の記録媒体に記録する記録手段と、前記第１再生手段の再生動作および前記記録手段の記録動作を制御する制御手段と、前記記録媒体から再生された音声データの音質レベル値を測定するとともに、その音質レベル値に基づいて前記他の記録媒体に記録されるべき音声データの平均音質レベル値を算出する音質レベル算出手段と、前記制御手段は、前記記録媒体から再生された音声データが前記他の記録媒体に記録される際に、前記平均音質レベル値を算出させるように構成する。
【００２１】
請求項５に記載の発明によれば、記録媒体から再生された音声データが他の記録媒体に記録される際に、測定された音声データの音質レベル値に基づいて、他の記録媒体に記録されるべき音声データの平均音質レベル値を算出するように構成したので、他の記録媒体に記録された音声データを、その後に再生する際、記憶された平均音質レベル値を用いて音質を補正することが可能となり、より簡単、かつ、効果的に、再生される複数の音声データの音質レベル値を調整することが可能となる。また、これにより、記録媒体から再生された音声データは、オリジナルの音質のまま、他の記録媒体に記録することができる。つまり、それぞれ音質レベル値の異なった複数の音声データを、他の記録媒体に記憶することができる。
【００２２】
請求項６に記載の発明は、請求項５に記載の音声データ再生・記録装置において、前記算出された平均音質レベル値が記憶されるメモリを備えるように構成する。
【００２３】
請求項６に記載の発明によれば、算出された平均音質レベル値がメモリに記憶されるので、その後、他の記録媒体に記録された音声データを再生する際、かかる平均音質レベル値を用いて音質を補正することができる。
【００２４】
請求項７に記載の発明は、請求項６に記載の音声データ再生・記録装置において、前記音質レベル算出手段は、既に平均音質レベル値が前記メモリに記憶されている場合には、その平均音質レベル値および前記測定された音質レベル値に基づいて前記音声データの平均音質レベル値を算出し、既に前記メモリに記憶された平均音質レベル値は、前記算出された平均音質レベル値に更新されるように構成する。
【００２５】
請求項７に記載の発明によれば、以前に算出された平均音質レベル値をも用いて音声データの平均音質レベル値を算出することができるので、他の記録媒体に時期を隔てて何回も追加的に音声データを記録した場合にも、以前に記録した音声データを含めた全ての音声データの平均音質レベル値を算出することができる。
【００２６】
請求項８に記載の発明は、請求項１乃至３のいずれか一項に記載の音声データ再生・記録装置において、前記他の記録媒体に記録された音声データを再生する第２再生手段と、前記他の記録媒体から再生された音声データの音質を前記平均音質レベル値に基づいて補正し、その補正された音質にて音声データを出力する音質補正手段と、を備えるように構成する。
【００２７】
請求項８に記載の発明によれば、他の記録媒体に、それぞれ音質レベル値の異なった複数の音声データが記録されていたとしても、それらの音声データを連続して再生する場合に、記録時に算出した平均音質レベル値を用いて補正を行いながら再生するので、ユーザは、音質差を意識することなく自然に長時間の曲を試聴することができる。
【００２８】
請求項９に記載の発明は、記録媒体に記録された音声データを再生し、その再生された音声データを他の記録媒体に記録する音声データ再生・記録方法において、前記記録媒体から再生された音声データが他の記録媒体に記録される際にその音声データの音量レベル値を測定する工程と、前記測定された音量レベル値に基づいて前記他の記録媒体に記録されるべき音声データの平均音量レベル値を算出する工程と、を備えるように構成する。
【００２９】
請求項９に記載の発明によれば、請求項１に記載の発明と同様の効果を得ることができる。
【００３０】
請求項１０に記載の発明は、請求項９に記載の音声データ再生・記録方法において、前記他の記録媒体に記録された音声データを再生する工程と、前記他の記録媒体から再生された音声データの音量を前記平均音量レベル値に基づいて補正する工程と、前記補正された音量にて音声データを出力する工程と、を備えるように構成する。
【００３１】
請求項１０に記載の発明によれば、請求項４に記載の発明と同様の効果を得ることができる。
【００３２】
請求項１１に記載の発明は、記録媒体に記録された音声データを再生し、その再生された音声データを他の記録媒体に記録する音声データ再生・記録方法において、前記記録媒体から再生された音声データが他の記録媒体に記録される際にその音声データの音質レベル値を測定する工程と、前記測定された音質レベル値に基づいて前記他の記録媒体に記録されるべき音声データの平均音質レベル値を算出する工程と、を備えるように構成する。
【００３３】
請求項１１に記載の発明によれば、請求項５に記載の発明と同様の効果を得ることができる。
【００３４】
請求項１２に記載の発明は、請求項１１に記載の音声データ再生・記録方法において、前記他の記録媒体に記録された音声データを再生する工程と、前記他の記録媒体から再生された音声データの音質を前記平均音質レベル値に基づいて補正する工程と、前記補正された音質にて音声データを出力する工程と、を備えるように構成する。
【００３５】
請求項１２に記載の発明によれば、請求項８に記載の発明と同様の効果を得ることができる。
【００３６】
請求項１３に記載の発明は、記録媒体に記録された音声データを再生し、その再生された音声データを他の記録媒体に記録する音声データ再生・記録装置に含まれるコンピュータを、前記再生された音声データを前記他の記録媒体に記録する際に、前記記録媒体から再生された音声データの音量レベル値を測定するとともに、その音量レベル値に基づいて前記他の記録媒体に記録されるべき音声データの平均音量レベル値を算出する手段として機能させるように構成する。
【００３７】
請求項１３に記載の発明によれば、平均音量レベル値算出処理プログラムがコンピュータに組み込まれることにより、請求項１に記載の音声データ再生・記録装置を実現することができる。
【００３８】
請求項１４に記載の発明は、請求項１３に記載の平均音量レベル値算出処理プログラムにおいて、前記コンピュータを、前記他の記録媒体に記録された音声データを再生する際に、前記他の記録媒体から再生された音声データの音量を前記平均音量レベル値に基づいて補正し、その補正された音量にて音声データを出力する手段としてさらに機能させるように構成する。
【００３９】
請求項１４に記載の発明によれば、平均音量レベル値算出処理プログラムがコンピュータに組み込まれることにより、請求項４に記載の音声データ再生・記録装置を実現することができる。
【００４０】
請求項１５に記載の発明は、記録媒体に記録された音声データを再生し、その再生された音声データを他の記録媒体に記録する音声データ再生・記録装置に含まれるコンピュータを、前記再生された音声データを前記他の記録媒体に記録する際に、前記記録媒体から再生された音声データの音質レベル値を測定するとともに、その音質レベル値に基づいて前記他の記録媒体に記録されるべき音声データの平均音質レベル値を算出する手段として機能させるように構成する。
【００４１】
請求項１５に記載の発明によれば、平均音質レベル値算出処理プログラムがコンピュータに組み込まれることにより、請求項５に記載の音声データ再生・記録装置を実現することができる。
【００４２】
請求項１６に記載の発明は、請求項１５に記載の平均音質レベル値算出処理プログラムにおいて、前記コンピュータを、前記他の記録媒体に記録された音声データを再生する際に、前記他の記録媒体から再生された音声データの音質を前記平均音質レベル値に基づいて補正し、その補正された音質にて音声データを出力する手段としてさらに機能させるように構成する。
【００４３】
請求項１６に記載の発明によれば、平均音質レベル値算出処理プログラムがコンピュータに組み込まれることにより、請求項８に記載の音声データ再生・記録装置を実現することができる。
【００４４】
【発明の実施の形態】
以下、本発明の好適な実施の形態を添付図面に基づいて説明する。なお、以下の実施形態は、本発明にかかる音声データ再生・記録装置をオーディオ装置に適用した場合の実施形態である。
【００４５】
先ず、図１を参照して、本実施形態にかかるオーディオ装置の構成および機能を説明する。
【００４６】
図１は、オーディオ装置の概要ブロック例である。図１に示すように、オーディオ装置１００は、記録媒体としてのＣＤ１０に記録された音声データ（曲）を再生する第１再生手段としてのＣＤ再生部１と、ＣＤ再生部１により再生された音声データに対して高速でデジタル信号処理を施して出力するＤＳＰ（Ｄｉｇｉｔａｌ　Ｓｉｇｎａｌ　Ｐｒｏｃｅｓｓｏｒ）２と、後述する音声データの平均音量レベル値を記憶するメモリ３と、ＤＳＰ２から出力された音声データをデジタル／アナログ変換しアナログ音声信号として出力するＤＡＣ（Ｄｉｇｉｔａｌ−ｔｏ−ＡｎａｌｏｇＣｏｎｖｅｒｔｅｒ）４と、ＤＡＣ４から出力されたアナログ音声信号を増幅して出力するＡＭＰ（Ａｍｐｌｉｆｉｅｒ）５と、ＡＭＰ５から出力されたアナログ音声信号を音波として出力するスピーカ６と、ＤＳＰ２から出力された音声データを記録媒体としてのＨＤＤ１１に記録または、ＨＤＤ１１に記録された音声データを再生するＨＤＤ記録再生部７と、上記各構成要素の動作制御を担う制御手段としての制御部８と、ユーザからの操作指示（例えば、再生指示、記録指示）を受付け制御部８に出力したり、ＣＤ１０やＨＤＤ１１に記録された音声データに関する情報を表示する操作／表示部９と、を含んで構成される。
【００４７】
ＣＤ再生部１は、ＣＤ１０を装着するための装着機構、ＣＤ１０に記録された音声データを光学的に読み取るピックアップ、ＣＤ１０を回転駆動するスピンドルモータ、スピンドルモータとピックアップをサーボ制御するサーボ回路などを備えている。本実施形態におけるＣＤ再生部１の装着機構には、複数のＣＤを装着することができ、ＣＤ再生部１は、制御部８からの指令に従い、装着された複数のＣＤうち一つのＣＤ１０から音声データを再生することになる。なお、かかるＣＤ再生部１には、公知の技術を適用できるので、詳しい説明を省略する。また、本実施形態では、本発明の第１再生手段の一例としてＣＤ再生部１を適用したが、これに限定されるものではなく、例えば、ＤＶＤに記録された音声データを再生するＤＶＤ再生部や、ＭＤに記録された音声データを再生するＭＤ再生部や、メモリースティック（登録商標）などのカード型記録媒体に記録された音声データを再生するカード型記録媒体再生部などを適用してもよく、また、これらの併用するように構成してもよい。
【００４８】
ＨＤＤ記録再生部７は、バッファメモリ、ＨＤＤドライブなどを備え、本発明の記録手段および第２再生手段として機能する。ＤＳＰ２から出力された音声データは、バッファメモリに一旦蓄えられた後、ＨＤＤドライブによりＨＤＤ１１に記録されることになる。また、ＨＤＤドライブによりＨＤＤ１１から再生された音声データは、バッファメモリに蓄えられた後、ＤＳＰ２に出力される。なお、かかるＨＤＤ記録再生部７には、公知の技術を適用できるので、詳しい説明を省略する。また、本実施形態では、本発明の記録手段および第２再生手段の一例としてＨＤＤ記録再生部７を適用したが、これに限定されるものではなく、例えば、ＣＤ−Ｒに音声データを記録再生するＣＤ−Ｒ記録再生部や、ＤＶＤ−Ｒ／Ｗに音声データを記録再生するＤＶＤ−Ｒ／Ｗ記録再生部や、メモリースティック（登録商標）などのカード型記録媒体に音声データを記録再生するカード型記録媒体記録再生部などを適用してもよく、また、これらの併用するように構成してもよい。
【００４９】
ＤＳＰ２は、論理回路やメモリ回路を備えており、ＣＤ再生部１により再生された音声データに対して高速でデジタル信号処理、具体的には、ＣＤ再生部１により再生されたＲＦ（Ｒａｄｉｏ　Ｆｒｅｑｕｅｎｃｙ）信号の音声データに対してＥＦＭ（Ｅｉｇｈｔ　ｔｏ　Ｆｏｕｒｔｅｅｎ　Ｍｏｄｕｌａｔｉｏｎ）復調などの公知の音響処理を施して、当該音声データをＤＡＣ４およびＨＤＤ記録再生部７に出力する。このような処理プログラムは、ＤＳＰ２内のメモリ回路に記憶されている。さらに、メモリ回路には、平均音量レベル値算出処理プログラムが記憶されており、かかるプログラムにより、コンピュータとしてのＤＳＰ２が、音量レベル値算出手段、音量補正手段として機能する。
【００５０】
より具体的には、ＤＳＰ２は、音量レベル値算出手段として機能し、ＣＤ１０から再生された音声データの音量レベル値を測定するとともに、その音量レベル値に基づいてＨＤＤ１１に記録されるべき音声データの平均音量レベル値を算出する。なお、算出された平均音量レベル値は、メモリ３に記憶される。ここで、メモリ３には、例えば、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）などの不揮発性メモリが適用される。
【００５１】
また、このようなメモリ３に既に平均音量レベル値が記憶されている場合には、ＤＳＰ２は、その平均音量レベル値および測定された音量レベル値に基づいて音声データの平均音量レベル値を算出する。そして、既にメモリ３に記憶された平均音量レベル値は、算出された平均音量レベル値に更新されることになる。
【００５２】
さらに、ＤＳＰ２は、音量補正手段として機能し、ＨＤＤ１１から再生された音声データの音量を、メモリ３に記憶された平均音量レベル値に基づいて補正して、当該補正された音量にて当該音声データをＤＡＣ４に出力する。
【００５３】
制御部８は、演算機能を有するＣＰＵ、作業用ＲＡＭ、ＲＯＭなどからなり、操作・表示部９からの指示に従い、ＣＤ再生部１の再生動作や、ＨＤＤ記録再生部７の記録再生動作等を制御する。また、制御部は、ＣＤ１０から再生された音声データがＨＤＤ１１に記録される際に、平均音量レベル値を算出させるように、ＤＳＰ２を制御する。
【００５４】
次に、図２および図３を参照して、ＣＤ１０に記録された音声データが再生され、ＨＤＤ１１に記録される際のオーディオ装置の動作を説明する。
【００５５】
図２は、ＣＤ１０に記録された音声データが再生され、ＨＤＤ１１に記録される際の制御部８の処理を示すフローチャートである。図３は、ＣＤ１０に記録された音声データがＨＤＤ１１に記録される際のＤＳＰ２の処理を示すフローチャートである。
【００５６】
先ず、ユーザが操作・表示部９を操作して、記録したいＣＤの音声データ（曲）を複数指定し（例えば、プログラム再生機能による）、記録指示を入力すると、制御部８はこれに応じて、図２に示す処理を開始する。
【００５７】
図２において、先ず、制御部８は、ＨＤＤ記録再生部７に問い合わせ、ＨＤＤ１１に既に音声データが記録されているかを判断する（ステップＳ１）。ＨＤＤ１１に既に音声データが記録されていないと判断した場合には、制御部８は、ＤＳＰ２に音声データ処理の開始指令を出力するとともに、平均音量レベル値の初期化指令を出力する（ステップＳ２）。一方、ＨＤＤ１１に既に音声データが記録されていると判断した場合には、制御部８は、ＤＳＰ２に音声データ処理の開始指令を出力するとともに、平均音量レベル値の読み出し指令を出力する（ステップＳ３）。ＤＳＰ２が、制御部８からの音声データ処理の開始指令を受けると、ＤＳＰ２はこれに応じて、図３に示す処理を開始する。
【００５８】
次に、制御部８は、ＣＤ再生部１に、上記指定された音声データの再生指令を出力するとともに、ＨＤＤ記録再生部７に音声データの記録指令を出力する（ステップＳ４）。ＣＤ再生部１が音声データの再生指令を受けると、ＣＤ再生部１は、ＣＤ１０に記録され、制御部１１から指定された音声データの再生を開始する。また、ＨＤＤ記録再生部７が音声データの記録指令を受けると、ＨＤＤ記録再生部７は、音声データの記録準備を行う。
【００５９】
なお、上記ステップＳ４の処理は、指定された全ての音声データの記録が終了するまで繰返し行われる（ステップＳ５）。
【００６０】
図３に示すＤＳＰ２の処理では、先ず、受け取った指令が平均音量レベル値の初期化指令か否かを判別する（ステップＳ１１）。平均音量レベル値の初期化指令である場合には、ＤＳＰ２は、メモリ３の平均音量レベル値を初期化する（ステップＳ１２）。つまり、平均音量レベル値がメモリ３に残されている場合には、それをクリアする。
【００６１】
一方、平均音量レベル値の初期化指令でない場合、即ち、平均音量レベル値の読み出し指令である場合には、平均音量レベル値をメモリ３から読み出す（ステップＳ１３）。次いで、ＤＳＰ２は、ＣＤ再生部１により再生された音声データに対し上述した音響処理を施す（ステップＳ１４）。次いで、ＤＳＰ２は、その音声データの音量レベル値を測定する（ステップＳ１５）。
【００６２】
ここで、音声データの音量レベル値の測定方法は、公知の技術を適用できる。例えば、ＤＳＰ２は、入力される音声データの一定時間毎の信号レベルのピーク値を８ビットの２５６のレベルの数値に変換し、それら一定時間毎のピーク値を平均化して、これを、音声データの音量レベル値とする。
【００６３】
次いで、ＤＳＰ２は、測定された音声データの音量レベル値に基づいて、音声データの平均音量レベル値を算出する（ステップＳ１６）。例えば、ＤＳＰ２は、音声データ毎に測定された音量レベル値をホールドするとともに、そのホールドされた音量レベル値を随時加算して音声データ数で割算することにより平均音量レベル値を算出する。次いで、ＤＳＰ２は、音声データをＤＡＣ４およびＨＤＤ記録再生部７に出力する（ステップＳ１７）。なお、ステップＳ１６の前に、ステップＳ１７の処理を行うように構成してもよい。
【００６４】
ここで、上記ステップＳ１３にて、平均音量レベル値が読み込まれていた場合には、ＤＳＰ２は、ステップＳ１５にて測定された音量レベル値と平均音量レベル値とを平均化して、新たな平均音量レベル値を算出することになる。また、上記ステップＳ１２にて平均音量レベル値が初期化され、かつ、制御部８から指定された音声データが単数であった場合には測定された音量レベル値が平均音量レベル値とされることになる。
【００６５】
なお、ＤＳＰ２は、ステップＳ１４からＳ１７までの処理を制御部１８からの記録終了指令があるまで繰返し行うことになる（ステップＳ１８）。つまり、ＤＳＰ２は、制御部１８からの記録終了指令があるまで、入力された音声データの音量レベル値を測定し、平均音量レベル値を算出して、ＤＡＣ４およびＨＤＤ記録再生部７に出力するという処理を繰返し（一定の処理周期で）行うことになる。これにより、制御部１８からの記録終了指令があるまでの間に、それぞれ音量レベル値の異なった複数の音声データ（曲）がＤＳＰ２に入力されたとしても、全ての音声データに関する平均音量レベル値が算出されることになる。
【００６６】
こうして、ＤＳＰ２から出力された音声データは、ＤＡＣ４、ＡＭＰ５およびスピーカ６を介して出力されるとともに、ＨＤＤ記録再生部７によりＨＤＤ１１に記録されることになる。
【００６７】
ここで、ＨＤＤ１１に記録される音声データの音量レベル値は、ＣＤ１０に記録されていたときの音量レベル値のままの状態である。つまり、それぞれ音量レベル値の異なった複数の音声データ（曲）が、ＨＤＤ１１に記憶されることになるのである。
【００６８】
図３の処理に戻り、制御部８は、指定された全ての音声データの記録が終了したと判別した場合には（ステップＳ５）、ＣＤ再生部１、ＤＳＰ２およびＨＤＤ記録再生部７に記録終了指令を出力する（ステップＳ６）。これにより、ＣＤ再生部１の再生動作および、ＨＤＤ記録再生部７の記録再生動作が終了する。
【００６９】
また、ＤＳＰ２は、図４に示すように、制御部８からの記録終了指令を受けると（ステップＳ１８）、最終的に算出された平均音量レベル値をメモリ３に記憶する（ステップＳ１９）。なお、既に、平均音量レベル値がメモリ３に記憶されていた場合には、かかる平均音量レベル値が、最終的に算出された平均音量レベル値に更新されることになる。
【００７０】
このように、メモリ３には、ＨＤＤ１１に記録された音声データの平均音量レベル値が保存され、その後に、ＨＤＤ１１に音声データが追加記録される場合にも、メモリ３に記憶された平均音量レベル値が反映されることになる。
【００７１】
次に、図４および図５を参照して、ＨＤＤ１１に記録された音声データが再生される際のオーディオ装置の動作を説明する。
【００７２】
図４は、ＨＤＤ１１に記録された音声データが再生される際の制御部８の処理を示すフローチャートである。図５は、ＨＤＤ１１に記録された音声データが再生される際のＤＳＰ８の処理を示すフローチャートである。
【００７３】
先ず、ユーザが操作・表示部９を操作して、ＨＤＤ１１に記録された音声データの再生指示を入力すると、制御部８はこれに応じて、図４に示す処理を開始する。
【００７４】
図４において、先ず、制御部８は、ＨＤＤ記録再生部７に問い合わせ、ＨＤＤ１１に既に音声データが記録されているかを判断する（ステップＳ２１）。ＨＤＤ１１に既に音声データが記録されていない場合には、当該処理を終了する。一方、ＨＤＤ１１に既に音声データが記録されている場合には、制御部８は、ＨＤＤ記録再生部７に再生指令を出力する（ステップＳ２２）。これにより、ＨＤＤ記録再生部７は、ＨＤＤ１１に記録された音声データの再生を開始する。
【００７５】
次いで、制御部８は、ＤＳＰ２に音声データ処理の開始指令を出力する（ステップＳ２３）。ＤＳＰ２が、制御部８からの音声データ処理の開始指令を受けると、ＤＳＰ２はこれに応じて、図５に示す処理を開始する。
【００７６】
なお、上記ステップＳ２２およびＳ２３の処理は、再生処理を終了するまで（例えば、ＨＤＤ１１に記録された全ての音声データの再生が終了した場合、或いは、操作・表示部９を介してユーザから再生停止指示があった場合に終了）、繰返し行われる（ステップＳ２４）。
【００７７】
図５に示すＤＳＰ２の処理では、先ず、ＤＳＰ２は、メモリ３に記憶された平均音量レベル値を読み出す（ステップＳ３１）。次いで、ＤＳＰ２は、ＨＤＤ記録再生部７により再生された音声データに対して音響処理を施す（ステップＳ３２）。次いで、ＤＳＰ２は、その平均音量レベル値に基づいて、音声データの音量を補正し（ステップＳ３３）、ＤＡＣ４に出力する（ステップＳ３４）。つまり、当該音声データの音量レベル値を、平均音量レベル値に近づける方向で補正しながら、ＤＡＣ４に出力する。なお、ＤＳＰ２は、ステップＳ３２からＳ３４までの処理を制御部１８からの再生終了指令があるまで繰返し行うことになる（ステップＳ３５）。ＤＡＣ４に出力された音声データは、ＡＭＰ５およびスピーカ６を介して出力されることになる。このように、それぞれ音量レベル値の異なった複数の音声データ（曲）がＨＤＤ１１に記録されていたとしても、それぞれの音声データが平均音量レベル値により補正されつつ平均化された音量で出力される。
【００７８】
図４の処理に戻り、制御部８が、再生処理を終了すると判断した場合（ステップＳ２４）、ＤＳＰ２およびＨＤＤ記録再生部７に再生終了指令を出力する（ステップＳ２５）。これにより、ＤＳＰ２の図３に示す処理および、ＨＤＤ記録再生部７の再生動作が終了する。
【００７９】
以上説明したように本実施形態によれば、それぞれ音量レベル値の異なった複数の音声データ（曲）がＨＤＤ１１に記録されていたとしても、それらの音声データを連続して再生する場合に、記録時に測定した平均音量レベル値を用いて補正を行いながら再生するので、ユーザは、音量差を意識することなく自然に長時間の曲を試聴することができる。
【００８０】
また、ユーザが、時期を隔てて何回も追加的に音声データが記録される場合にも、記録時に算出した平均音量レベル値を用いて補正を行いながら再生するので、ユーザは、音量差を意識することなく自然に長時間の曲を試聴することができる。
【００８１】
さらに、音声データをオリジナルの音量レベル値のままで、ＨＤＤ１１に記録するため、音質の面で不都合が生じることはない。
【００８２】
なお、上記実施形態においては、音声データの音量に着目し、平均音量レベルによって音声データの音量を補正しつつ、音声データを出力する例について説明したが、別の実施形態として、音声データの音質に着目し、平均音質レベルによって、音声データの音質を補正しつつ、音声データを出力するように構成してもよい。この場合の構成では、図１に示す構成を適用でき、ＤＳＰ２に平均音量レベル値算出処理プログラムの代わりに、平均音質レベル値算出処理プログラムを組み込み、ＣＤ１０から再生された音声データの音質レベル値を測定するとともに、その音質レベル値に基づいてＨＤＤ１１に記録されるべき音声データの平均音質レベル値を算出する音質レベル算出手段、ＨＤＤ１１から再生された音声データの音質をメモリ３に記憶された平均音質レベル値に基づいて補正し、その補正された音質にて音声データを出力する音質補正手段、として機能させる。この場合、音声データの音質レベル値の測定および、音声データの平均音質レベル値の算出には、公知の技術を適用できる。また、それ以外の処理については、上記図２から図５の処理と同様のフローとなる。
【００８３】
このような構成によれば、それぞれ音質レベル値の異なった複数の音声データ（曲）がＨＤＤ１１に記録されていたとしても、それらの音声データを連続して再生する場合に、記録時に測定した平均音質レベル値を用いて補正を行いながら再生するので、ユーザは、音質差を意識することなく自然に長時間の曲を試聴することができる。
【００８４】
なお、上記実施形態においては、平均音量レベル値または平均音質レベル値をＨＤＤ１１とは別のメモリ３に記憶することについて説明したが、これらのレベル値をＨＤＤ１１の所定の記録領域に記憶するように構成してもよい。この場合において、本明細書中のメモリは、ＨＤＤ１１に相当することになる。
【００８５】
また、上記実施形態においては、一つの制御部８によりＣＤ再生部１の再生動作とＨＤＤ記録・再生部７の記録再生動作を制御することについて説明したが、ＣＤ再生部１の再生動作とＨＤＤ記録・再生部７の記録再生動作の各々を独立して制御する制御部を二つ設けてもよい。この場合には、各々の制御部が互いに同期をとりながらＣＤ再生部１の再生動作とＨＤＤ記録・再生部７の記録再生動作を制御することになる。
【００８６】
また、上記実施形態においては、一つのＤＳＰ２にて音量レベル値または音質レベル値の測定と、平均音量レベル値または平均音質レベル値の算出を行うことについて説明したが、ＤＳＰを２つ設けて、音量レベル値または音質レベル値の測定と、平均音量レベル値または平均音質レベル値の算出を各々のＤＳＰで行わせるようにしてもよい。
【００８７】
また、上記実施形態においては、音声データをそのままＨＤＤ１１に記録するように構成したが、例えば、ＭＰ３、ＡＴＲＡＣ３等のフォーマットで圧縮したり、著作権保護のための音声データの暗号化を行ってから音声データをＨＤＤ１１に記録するように構成してもよい。
【００８８】
また、上記実施形態においては、デジタル形式での記録処理の例を示したが、Ａ／Ｄ変換器等を追加し、アナログ形式での記録処理に適用してもよい。
【００８９】
【発明の効果】
以上説明したように、記録媒体から再生された音声データが他の記録媒体に記録される際に、測定された音声データの音量レベル値（または、音質レベル値）に基づいて、他の記録媒体に記録されるべき音声データの平均音量レベル値（または、平均音質レベル値）を算出するように構成したので、他の記録媒体に記録された音声データを、その後に再生する際、記憶された平均音量レベル値（または、平均音質レベル値）を用いて音量（または、音質）を補正することが可能となり、より簡単、かつ、効果的に、再生される複数の音声データの音量レベル値（または、音質レベル値）を調整することが可能となる。また、これにより、記録媒体から再生された音声データは、オリジナルの音量（または、音質）のまま、他の記録媒体に記録することができる。
【図面の簡単な説明】
【図１】オーディオ装置の概要ブロック例である。
【図２】ＣＤ１０に記録された音声データが再生され、ＨＤＤ１１に記録される際の制御部８の処理を示すフローチャートである。
【図３】ＣＤ１０に記録された音声データがＨＤＤ１１に記録される際のＤＳＰ２の処理を示すフローチャートである。
【図４】ＨＤＤ１１に記録された音声データが再生される際の制御部８の処理を示すフローチャートである。
【図５】ＨＤＤ１１に記録された音声データが再生される際のＤＳＰ８の処理を示すフローチャートである。
【符号の説明】
１　ＣＤ再生部
２　ＤＳＰ
３　メモリ
４　ＤＡＣ
５　ＡＭＰ
６　スピーカ
７　ＨＤＤ記録再生部
８　制御部
９　操作／表示部
１０　ＣＤ
１１　ＨＤＤ
１００　オーディオ装置
【図１】
2004005786.tif 000003
【図２】
2004005786.tif 000004
【図３】
2004005786.tif 000005
【図４】
2004005786.tif 000006
【図５】
2004005786.tif 000007